(57)【特許請求の範囲】
【請求項１】
所要位置に配置される下段ベッドと，
該下段ベッドの上に設けられており，ベッド体の両サイドボードの内面に固定され，床台板を支えることができる四角柱状の主支持部と，
前記ベッド体のヘッドボードとフットボードをつなぐように設けられ，前記床台板を前記主支持部と同じ高さで支えることができる補助支持部と，
下段ベッド上部に一段または複数段の上段ベッドを備え，
前記多段ベッドの四隅に支脚部が設けられている多段ベッドであって，
前記支脚部には，多段ベッドの短軸方向に向かい合う形で，縦長で長方形状の切欠部が設けられており，
前記補助支持部が，断面が長方形状の四角柱状の基板部と，四角柱状の載置部とからなり，
前記基板部が，切欠部に嵌め込まれるとともにボルトにより支脚部に固定されることで多段ベッドの長軸方向に備え付けられることにより，補助支持部材が主支持部材に隣接しつつ，多段ベッド両側に配置され，
前記載置部，基板部，主支持部材，これらの上面が同一平面上となることにより，床台板を同じ高さで支えることを特徴とする多段ベッド。
【発明の詳細な説明】
【技術分野】
【０００１】
本発明は、多段ベッド、およびベッドの床台板の落下を防止する方法に関するものである。詳しくは、二段ベッドなどの多段ベッドにおいて、特に危険性の高い上段ベッドの床台板が落下する事故を防止することができるものに関する。
【背景技術】
【０００２】
二段ベッドなどの多段ベッドは、ベッド一台の設置面積があれば、上方向へ複数のベッドを設置できるので、いわゆる省スペース化を図ることができ、特に子供用のベッドとして広く利用されている。このような多段ベッドとしては、例えば非特許文献１に記載の二段ベッドがある。この二段ベッドでは、上下段のベッドの床台板を落下しないように両サイドボードで支える必要がある。特に、二段ベッドは、下段ベッドにも人が寝るのが前提であるために、上段ベッドの床台板を確実に支えて、床台板の落下事故を防止する必要がある。
【０００３】
非特許文献１に記載された二段ベッドの上段ベッドの支持部材の取付け構造は、図８に示すように、両サイドボード８０の下部板８１の内面側に、多数の木ネジ８２により、断面形状が四角形の角棒状の支持部材８３が固定されている構造である（図８（ａ）参照）。これにより、上段ベッドの床台板８４は、両サイドボード８０（図８では片側のみ図示）の支持部材８３の上に端辺部を載置して使用することができる（図８（ｂ）参照）。
【先行技術文献】
【非特許文献】
【０００４】
【非特許文献１】[2015年9月8日検索]  インターネット  家具の里ホームページ  ＜URL:http://item.rakuten.co.jp/kagunosato/44-0043/＞
【発明の概要】
【発明が解決しようとする課題】
【０００５】
しかしながら、上段ベッドの支持部材を上記構造で取り付けている一般的な二段ベッドには、次のような課題があった。すなわち、支持部材を両サイドボードに固定している各木ネジは、ほぼ同じ高さで比較的密な間隔で並んでいる。また、二段ベッドでは、例えば上段の床台板上で子供が何人かでふざけて遊んだり、あるいは大人が子供に添い寝をしたりするなど、上段ベッドの各支持部材に大きな荷重がかかることがある。
【０００６】
このような使い方が頻繁に行われたり、普通にないような極めて大きな荷重がかかったりした場合は、サイドボードの板材が、木ネジがネジ込まれている部分がつながるように横方向に割れて、支持部材が床台板を支えきれなくなり、床台板が上にいる人ごと落下してしまう事故が起こることがあった。特に、下段ベッドに人がいる場合では、上段から落ちた人のみならず、下段にいた人も大変危険であった。
【０００７】
本発明は、以上の点を鑑みて創案されたものであり、二段ベッドなどの多段ベッドにおいて、特に危険性の高い上段ベッド（二段以上）の床台板が落下する事故を防止することができる多段ベッド、およびベッドの床台板の落下を防止する方法を提供することを目的とする。
【課題を解決するための手段】
【０００８】
（１）上記の目的を達成するために、本発明の多段ベッドは、所要位置に配置される下段ベッドと、該下段ベッドの上に設けられており、ベッド体の両サイドボードの内面に固定され、床台板を支えることができる主支持部と、前記ベッド体のヘッドボードとフットボードをつなぐように設けられ、前記床台板を前記主支持部と同じ高さで支えることができる補助支持部を有する一段または複数段の上段ベッドとを備える。
【０００９】
多段ベッドの上段ベッドは、両サイドボードの内面に固定された主支持部と、ベッド体のヘッドボードとフットボードをつなぐように設けられた補助支持部で、床台板を支えることができる。補助支持部は、一般に充分な強度を有するヘッドボードとフットボードをつなぐように設けられるので、大きな荷重が作用する床台板を支えるだけの充分な耐力を付与することが可能である。また、ベッド体の歪みなどの変形に対する強度をより強くすることができる。
【００１０】
しかも、主支持部と補助支持部は、床台板を同じ高さで支えることができるようになっているので、床台板に作用する荷重が、主支持部と補助支持部において平均的に分散し、荷重が一部に集中的に作用することがない。これにより、一部に集中した荷重で支持部が変形したり破損したりすることを防止できる。
【００１１】
したがって、従来のように床台板を両サイドボードの内面に固定された支持部材だけで支えるものと比較して、床台板をより強い耐力をもって支えることができるので、何等かの原因で床台板に大きな荷重が作用したときにも床台板の落下事故を防止することが可能になる。
【００１２】
なお、特許請求の範囲、および明細書にいう「多段ベッド」は、ベッド体を二段以上の複数段に設けたベッドであり、一般的には二段であるが、三段以上のものも含む概念である。また、本発明において補助支持部が設けられるベッド体は、好ましくは二段目、あるいはそれより高い位置にあるベッド体であるが、これに限定せず、下段（最低段）にあるベッド体に設けることを排除しない。
【００１３】
また、特許請求の範囲、および明細書にいう「主支持部」と「補助支持部」では、接頭語として「主」と「補助」の用語を使用しているが、これは両支持部を区別するため便宜上使用したもので、両支持部が、必ずしも、いわゆる主と補助、あるいは主と従の関係にあることを意味するものではない。
【００１４】
主支持部に対する補助支持部の間隔は特に限定しないが、床台板をより安全に支持する観点からは、比較的広い間隔をおいて設けるのがより好ましい。また、ヘッドボードとフットボードの所要箇所（支脚部や幕板部、あるいはその他の箇所など）をつなぐように設ける際の固定構造（取付構造）は、特に限定するものではなく、例えばネジ止めやボルト止め、金具の係合、細工部の嵌合、継手構造など、公知の各種構造を採用することができる。
【００１５】
（２）本発明の多段ベッドは、前記補助支持部が前記ヘッドボードと前記フットボードの一方または双方を貫通しており、この貫通して表面に表れた部分を隠す目隠し部材が設けられている構成とすることもできる。
【００１６】
この場合は、補助支持部を貫通させるために加工した箇所や固定のための金具やボルト、ネジなども含め、多段ベッドの外観に表れることがないので、外観が見苦しくなるのを防止でき、商品に意匠的（デザイン的）な付加価値を付与できる。また、目隠し部材自体の構造やデザインも自由につくることができるので、例えば衣類やタオルなどが掛けられるような実用的な機能を付与することもできる。
【００１７】
（３）本発明の多段ベッドは、前記補助支持部が、前記ヘッドボードを構成する支脚部と前記フットボードを構成する支脚部をつなぐように設けられている構成とすることもできる。
【００１８】
この場合は、ヘッドボードとフットボードの支脚部同士をつなぐように補助支持部を設けることができ、一般に強度に優れた支脚部に固定することで、補助支持部に対し充分な耐力を付与することが可能になる。
【００１９】
（４）本発明の多段ベッドは、前記補助支持部が、前記ヘッドボードを構成する幕板部と前記フットボードを構成する幕板部をつなぐように設けられている構成とすることもできる。
【００２０】
この場合は、ヘッドボードとフットボードの幕板部同士をつなぐように補助支持部を設けることができ、一般に強度に優れた幕板部に固定することで、補助支持部に対し充分な耐力を付与することが可能になる。
また、幕板部は、支脚部より内側に位置しているので、補助支持部は主支持部から比較的広い間隔で離れることになり、床台板の幅方向において中央寄りを支えることができる。これにより、床台板が何等かの原因で大きく動いたとしても、容易には支持部を抜けて落下することはなく、より安全に使用することができる。
【００２１】
（５）上記の目的を達成するために、本発明の多段ベッドは、ベッド体の両サイドボードの内面に固定され、床台板を支えることができる主支持部と、前記ベッド体のヘッドボードとフットボード間に設けられ、前記床台板を前記主支持部材と同じ高さで支えることができる補助支持部を備える構成とすることもできる。
【００２２】
多段ベッドのベッド体は、上記（１）と同様に、両サイドボードの内面に固定された主支持部と、ベッド体のヘッドボードとフットボードをつなぐように設けられた補助支持部で、床台板を支えることができる。補助支持部は、一般に充分な強度を有するヘッドボードとフットボードをつなぐように設けられるので、大きな荷重が作用する床台板を支えるだけの充分な耐力を付与することが可能である。また、ベッド体の歪みなどの変形に対する強度をより強くすることができる。
【００２３】
しかも、主支持部と補助支持部は、床台板を同じ高さで支えることができるようになっているので、床台板に作用する荷重が、主支持部と補助支持部において平均的に分散し、荷重が一部に集中的に作用することがない。これにより、一部に集中した荷重で支持部が変形したり破損したりすることを防止できる。
【００２４】
したがって、従来のように床台板を両サイドボードの内面に固定された支持部材だけで支えるものと比較して、床台板をより強い耐力をもって支えることができるので、床台板に大きな荷重が作用したときにも床台板の落下事故を防止することが可能になる。
【００２５】
（６）上記の目的を達成するために、本発明のベッドの床台板の落下を防止する方法は、ベッド体の両サイドボードの内面に、同ベッド体の幅方向において内方向に突出させて主支持部を形成し、前記ベッド体のヘッドボードとフットボードをつなぐように、前記主支持部に対し、補助支持部をベッド体の幅方向において内方向に所要の間隔をおいて隣接させ、前記主支持部と互いの上面が同じ高さになるように設け、床台板を前記主支持部と前記補助支持部の上面に載置して、前記主支持部と前記補助支持部により前記床台板を支えるものである。
【００２６】
この方法によれば、多段ベッドの上段ベッドは、両サイドボードの内面に固定された主支持部と、ベッド体のヘッドボードとフットボードをつなぐように設けられた補助支持部で、床台板を同じ高さで支えることができるようになっているので、床台板に作用する荷重が、主支持部と補助支持部において平均的に分散し、荷重が一部に集中的に作用することを防止できる。したがって、従来のように床台板を両サイドボードの内面に固定された支持部材だけで支えるものと比較して、床台板をより強い耐力をもって支えることができるので、床台板に大きな荷重が作用したときにも床台板の落下事故を防止することが可能になる。
【発明の効果】
【００２７】
本発明は、二段ベッドなどの多段ベッドにおいて、特に危険性の高い上段ベッド（二段以上）の床台板が落下する事故を防止することができる多段ベッド、およびベッドの床台板の落下を防止する方法を提供することができる。
【図面の簡単な説明】
【００２８】
【図１】本発明の二段ベッドの第１実施の形態を示し、目隠し部材と梯子段、および上下段の床台板を除いた状態の斜視説明図である。
【図２】本発明の二段ベッドの第１実施の形態を示す斜視図である。
【図３】図２に示す二段ベッドの上段ベッドの幅方向縦断面図である。
【図４】本発明の二段ベッドの第２実施の形態を示し、上段ベッドの両サイドボードを外し、目隠し部材と梯子段および上下段の床台板を除いた状態の分解斜視説明図である。
【図５】図４に示す二段ベッドの上段ベッドに両サイドボードを取付け、床台板を載置した状態の上段ベッドの幅方向縦断面図である。
【図６】本発明の二段ベッドの第３実施の形態を示し、上段ベッドの両サイドボードを外し、目隠し部材と梯子段および上下段の床台板を除いた状態の分解斜視説明図である。
【図７】図６に示す二段ベッドの上段ベッドに両サイドボードを取付け、床台板を載置した状態の上段ベッドの幅方向縦断面図である。
【図８】非特許文献に示された従来の二段ベッドの上段ベッドの床台板を支持する支持構造を示し、（ａ）はサイドボードに対する支持部材の取り付け構造を示す分解斜視説明図、（ｂ）は支持部材に床台板を載置した状態の斜視説明図である。
【発明を実施するための形態】
【００２９】
図１ないし図７を参照して、本発明の各実施形態を更に詳細に説明する。
（二段ベッドＡ１）
図１ないし図３を参照する。
多段ベッドである二段ベッドＡ１は、木製で組立式のものである。二段ベッドＡ１の基本的な構造は、公知のものとほぼ同様であるので、以下の説明においても簡単な説明に止める。
【００３０】
二段ベッドＡ１は、ベッド体である下段ベッド１と上段ベッド２、目隠し部材３、および上段ベッド２のフットボード２２側に掛けた梯子段４により構成されている。
下段ベッド１は、幅方向両側に支脚部１１０、１１０ａを有するヘッドボード１１と、同じく支脚部１２０、１２０ａを有するフットボード１２と、ヘッドボード１１とフットボード１２をつなぐサイドボード１３、１４、およびサイドボード１３、１４間で水平に支持されるスノコ状の床台板１５、１５ａを備えている。
【００３１】
下段ベッド１には、支脚部同士を接合して上段ベッド２が重ねられている。
上段ベッド２は、幅方向両側に支脚部２１０、２１０ａを有するヘッドボード２１と、同じく支脚部２２０、２２０ａを有するフットボード２２と、ヘッドボード２１とフットボード２２をつなぐサイドボード２３、２４、およびサイドボード２３、２４間で支持されるスノコ状の床台板２５、２５ａを備えている。
【００３２】
サイドボード２３、２４は、それぞれ下部板２３０、２４０（図３参照）を有している。下部板２３０、２４０のそれぞれには、主支持部である主支持部材２３１、２４１が多数の木ネジ（図示省略）により、下部板２３０、２４０の長手方向と平行（二段ベッドＡ１の設置時には水平となるように）に固定されている。
【００３３】
主支持部材２３１、２４１は、断面形状が正方形状で、下部板２３０、２４０の両端に固定されている係止金具（符号省略）を避けて、下部板２３０、２４０の長さよりやや短い長さに設定されている。なお、主支持部材２３１、２４１は、互いに同じ高さに設定され、後述するように床台板２５、２５ａを水平状態で支持できるようにしている。
【００３４】
そして、主支持部材２３１、２４１のそれぞれの内側（内方向側）には、主支持部材２３１、２４１と若干の間隔をおいて、上段ベッド２のヘッドボード２１とフットボード２２をつなぐように、補助支持部である補助支持部材２６、２６ａが設けられている。補助支持部材２６は、ヘッドボード２１の支脚部２１０とフットボード２２の支脚部２２０に架け渡して固定されており、また、補助支持部材２６ａは、ヘッドボード２１の支脚部２１０ａとフットボード２２の支脚部２２０ａに架け渡して固定されている。
【００３５】
補助支持部材２６、２６ａの構造、およびその固定構造を説明する。
まず、各支脚部２１０、２１０ａ、２２０、２２０ａの内側には、上段ベッド２の形成時の上記主支持部材２３１、２４１の上面に対し、上端（天面）が同じ高さであり、所要の上下長さと奥行きを有する切欠部２０が形成されている（図１の拡大図の左図参照）。
【００３６】
また、補助支持部材２６、２６ａは、所要の厚さの細長い板体である基板部２６０を有し、この幅方向を縦にして使用される。基板部２６０の厚さは、切欠部２０の奥行きよりやや短く設定されている。基板部２６０の長さは、架け渡す対象の各支脚部の外端面間の長さに設定され、その先端面が各支脚部の外端面と面一になるようにしてある（図１の拡大図の右図参照）。
【００３７】
各基板部２６０の一方の面（内側）には、その上端縁を各基板部２６０の上端縁と揃えて、断面形状が四角形状で所要長さの載置部２６１が固着されている（図３参照）。補助支持部材２６、２６ａの長さは、主支持部材２３１、２４１と長さ方向において同じところに位置し、同じ長さになるように設定されている（図１参照）。そして、補助支持部材２６、２６ａは、各支脚部の切欠部２０に両端部が嵌め込まれ、ボルト２６２により固定されている。
【００３８】
スノコ状の床台板２５、２５ａは、外形を四角形の枠状に形成した基枠２５０の上面に細板状の上面板２５１を等間隔、かつ平行に多数固定した構造である。床台板２５、２５ａは、一方側の主支持部材２３１と、それに隣接する補助支持部材２６の各上面（符号省略）に、幅方向の一方側の端部が載置され、他方側の主支持部材２４１と、それに隣接する補助支持部材２６ａの各上面（符号省略）に、幅方向の他方側の端部が載置されて装着されている（図１、図３参照）。
【００３９】
一方側の主支持部材２３１と、それに隣接する補助支持部材２６の各上面は、互いに同じ高さであり、他方側の主支持部材２４１と、それに隣接する補助支持部材２６ａの各上面も互いに同じ高さである。また、上記したように主支持部材２３１と主支持部材２４１も同じ高さであるので、床台板２５、２５ａは、基枠２５０下面が、各上面に均等に接し、床台板２５、２５ａにより作用する荷重が均等に分散した状態で水平に支持される。
【００４０】
これにより、床台板２５、２５ａは、ヘッドボード２１とフットボード２２、両サイドボード２３、２４で囲まれる空間（符号省略）を下部においておおむね塞ぐことができる。なお、床台板２５、２５ａの幅は、両サイドボード２３、２４の下部板２３０、２４０の内面の間隔とほぼ同じ長さに形成されており、隙間とガタツキがほとんどないようにしている。
【００４１】
更に、上段ベッド２のフットボード２２側には、門型の目隠し部材３が取り付けられている。目隠し部材３は、支脚部２２０、２２０ａにおいて、補助支持部材２６、２６ａが固定されている部分の近傍から支脚部１２０、１２０ａの下端までの長さの縦部材３０、３０ａと、それらの上端間に横架されて取り付けられた横部材３１により構成されている。
【００４２】
目隠し部材３は、支脚部２２０、２２０ａの切欠部２０の加工部や、切欠部２０から覗く補助支持部材２６、２６ａの先端面、あるいはボルト２６２など（図１の拡大図の右図参照）が外観に表れないように隠すものである。また、横部材３１は、上記フットボード２２の幕板部２２９との間にやや隙間（符号省略）が設けてあり、衣類やタオルを掛けることができるようにしている。
【００４３】
（作用）
図１ないし図３を参照し、二段ベッドＡ１の作用を説明する。
二段ベッドＡ１の上段ベッド２は、両サイドボード２３、２４の内面に固定された主支持部材２３１、２４１と、主支持部材２３１、２４１と隣接し、ヘッドボード２１とフットボード２２をつなぐように設けられた補助支持部材２６、２６ａで、床台板２５、２５ａを支えることができる。
【００４４】
すなわち、補助支持部材２６、２６ａは、一般に充分な強度を有するヘッドボード２１とフットボード２２の支脚部２１０、２２０をつなぐように、また、支脚部２１０ａ、２２０ａをつなぐように設けられるので、大きな荷重が作用する床台板２５、２５ａを支えるだけの充分な耐力を付与することが可能である。また、上段ベッド２の歪みなどの変形に対する強度をより強くすることができる。
【００４５】
しかも、主支持部材２３１、２４１と補助支持部材２６、２６ａは、床台板２５、２５ａを同じ高さで支えることができるようになっているので、床台板２５、２５ａに作用する荷重が、主支持部材２３１、２４１と補助支持部材２６、２６ａにおいて平均的に分散し、荷重が一部に集中的に作用することがない。これにより、一部に集中した荷重で支持部が変形したり破損したりすることを防止できる。
【００４６】
したがって、従来のように床台板２５、２５ａを両サイドボード２３、２４の内面に固定された支持部材だけで支えるものと比較して、床台板２５、２５ａをより強い耐力をもって支えることができるので、床台板２５、２５ａに大きな荷重が作用したときにも床台板２５、２５ａの落下事故を防止することが可能になる。
【００４７】
また、二段ベッドＡ１は、目隠し部材３が設けられているので、補助支持部材２６、２６ａを各支脚部に貫通させるために加工した切欠部２０やボルト２６２、ネジなども含め、二段ベッドＡ１の外観に表れることがないので、外観が見苦しくなるのを防止でき、商品に意匠的な付加価値を付与できる。また、目隠し部材自体の構造やデザインも自由につくることができるので、例えば本願の目隠し部材３のように、衣類やタオルなどが掛けられるような実用的なものとすることができる。
【００４８】
（二段ベッドＡ２）
図４および図５を参照する。
図４、図５においては、上記二段ベッドＡ１とは相違して、二段ベッドＡ２そのもの（構成部が全部揃ったもの）は表していないので、便宜上、図４に括弧付きで（Ａ２）と表している。
【００４９】
また、二段ベッドＡ２の構造は、補助支持部材２７、２７ａ、およびその取付け構造を除き、二段ベッドＡ１とほぼ同様であるので、共通部分については上記二段ベッドＡ１の説明を援用し、重複する説明は省略する。なお、図４、図５においては、二段ベッドＡ１と同等箇所には同一の符号を付して示す。
【００５０】
二段ベッドＡ２で使用している補助支持部材２７、２７ａは、上記二段ベッドＡ１の補助支持部材２６、２６ａの基板部２６０とほぼ同様の形態を有しており、幅方向を縦にして使用される。補助支持部材２７、２７ａは、主支持部材２３１、２４１と互いの上面を同じ高さにして、上段ベッド２ａのヘッドボード２１ａとフットボード２２ａの支脚部２１１、２２１をつなぐように、および支脚部２１１ａ、２２１ａをつなぐように、主支持部材２３１、２４１に隣接して設けられている。
【００５１】
補助支持部材２７、２７ａは、ヘッドボード２１ａとフットボード２２ａの支脚部２１１、２２１、および支脚部２１１ａ、２２１ａの相対向する内面間の距離（間隔）と同じ長さを有している。支脚部２１１、２２１、および支脚部２１１ａ、２２１ａの相対向する内面の上段ベッド２ａの幅方向において内側（内方向側）には、外面側へ貫通していないダボ穴２００が設けられ、その下側には所要の間隔をおいて貫通孔２０１が設けられている（図４の拡大図参照）。
【００５２】
また、補助支持部材２７、２７ａの各先端面（符号省略）には、ダボ穴２００と対応する位置にダボ穴２７０が設けられ、その下側には貫通孔２０１と対応する通孔２７１が長さ方向に形成されている。補助支持部材２７、２７ａの厚み方向の一方側の面（符号省略）には、通孔２７１の中間部に通じる横穴２７２が形成されている。横穴２７２の内部には、締止具２７３が挿入されている。締止具２７３には、直径線方向に貫通したネジ孔２７４が設けられている。ネジ孔２７４には、締めボルト２７６のネジ部（符号省略）が螺合できるようになっている。
【００５３】
そして、補助支持部材２７、２７ａは、それぞれの両先端面のダボ穴２７０にダボ２７５の一方側を差し込んでおき、この状態でダボ２７５の一方側をダボ穴２００に差し込むようにして、先端面が支脚部２１１、２２１、および支脚部２１１ａ、２２１ａの相対向する内面に当接するようにする。
【００５４】
次に、締めボルト２７６を支脚部の外側から通孔２７１に通し、ネジ部を締止具２７３のネジ孔２７４に螺合し、補助支持部材２７、２７ａを支脚部に引き寄せるように締め付ける。これにより、補助支持部材２７、２７ａをヘッドボード２１ａとフットボード２２ａの間に固定することができる。
なお、二段ベッドＡ２の作用は、上記二段ベッドＡ１とほぼ同様であるので、説明を省略する。
【００５５】
（二段ベッドＡ３）
図６および図７を参照する。
図６、図７においては、二段ベッドＡ２と同様に、二段ベッドＡ３そのもの（構成部が全部揃ったもの）は表していないので、便宜上、図６に括弧付きで（Ａ３）と表している。
【００５６】
また、二段ベッドＡ３の構造は、補助支持部材２８、２８ａ、およびその取付け構造を除き、二段ベッドＡ１とほぼ同様であるので、共通部分については上記二段ベッドＡ１の説明を援用し、重複する説明は省略する。なお、図６、図７においては、二段ベッドＡ１と同等箇所には同一の符号を付して示す。
【００５７】
二段ベッドＡ３で使用している補助支持部材２８、２８ａは、上記二段ベッドＡ１の補助支持部材２６、２６ａとほぼ同様の構成を有する支持部２８０を有している。支持部２８０は、基板部２８１と載置部２８２を有している。支持部２８０の両端部には、Ｌ板状の取付金具２８３が固定されている。
【００５８】
取付金具２８３は、一般の二段ベッドのサイドボードの両端部に固定されている取付金具と同等のもので、支持部２８０と直角を成す端板２８４には、上側にフック部２８５が設けられ、下側にボルト２８７を通す通孔２８６が設けられている（図６の拡大図の左図参照）。
【００５９】
補助支持部材２８、２８ａは、上段ベッド２ｂのヘッドボード２１ｂの下部側に設けられている幕板部２２８と、フットボード２２ｂに設けられている幕板部２２８をつなぐように設けられている。詳しくは、補助支持部材２８、２８ａは、幕板部２２８にねじ込まれて突設された突起２０３にフック部２８５を掛け、幕板部２２８の突起２０３より下側に設けたネジ孔２８９に、ボルト２８７を通孔２８６に通し螺着して固定されている。
【００６０】
（作用）
二段ベッドＡ３によれば、ヘッドボード２１ｂとフットボード２２ｂの幕板部２２８同士をつなぐように補助支持部材２８、２８ａを設けることができ、一般に強度に優れた幕板部２２８に固定することで、補助支持部材２８、２８ａに対し充分な耐力を付与することが可能になる。
【００６１】
また、幕板部２２８は、各支脚部２１０、２２０、２１０ａ、２２０ａより所要の間隔をもって内側に位置しているので、補助支持部材２８、２８ａは主支持部材２３１、２４１からより離れることになり、床台板の幅方向において中央寄りを支えることができる。これにより、床台板が何等かの原因で大きく動いたとしても、容易には補助支持部材２８、２８ａを抜けて落下することはなく、より安全に使用することができる。
【００６２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６３】
Ａ１  二段ベッド
１  下段ベッド
１１  ヘッドボード
１１０、１１０ａ  支脚部
１２  フットボード
１２０、１２０ａ  支脚部
１３、１４  サイドボード
１５、１５ａ  床台板
２  上段ベッド
２１  ヘッドボード
２１０、２１０ａ  支脚部
２２  フットボード
２２０、２２０ａ  支脚部
２０  切欠部
２３、２４  サイドボード
２３０、２４０  下部板
２３１、２４１  主支持部材
２５、２５ａ  床台板
２５０  基枠
２５１  上面板
２６、２６ａ  補助支持部材
２６０  基板部
２６１  載置部
２６２  ボルト
３  目隠し部材
３０、３０ａ  縦部材
３１  横部材
４  梯子段
Ａ２  二段ベッド
２ａ  上段ベッド
２１ａ  ヘッドボード
２１１、２１１ａ  支脚部
２２ａ  フットボード
２２１、２２１ａ  支脚部
２００  ダボ穴
２０１  貫通孔
２７、２７ａ  補助支持部材
２７０  ダボ穴
２７１  通孔
２７２  横穴
２７３  締止具
２７４  ネジ孔
２７５  ダボ
２７６  締めボルト
Ａ３  二段ベッド
２ｂ  上段ベッド
２１ｂ  ヘッドボード
２２ｂ  フットボード
２２８  幕板部
２０３  突起
２８、２８ａ  補助支持部材
２８０  支持部
２８１  基板部
２８２  載置部
２８３  取付金具
２８４  端板
２８５  フック部
２８６  通孔
２８７  ボルト
２８９  ネジ孔
【図１】
0006462543.tif 000002
【図２】
0006462543.tif 000003
【図３】
0006462543.tif 000004
【図４】
0006462543.tif 000005
【図５】
0006462543.tif 000006
【図６】
0006462543.tif 000007
【図７】
0006462543.tif 000008
【図８】
0006462543.tif 000009